(57)【特許請求の範囲】
【請求項１】
フローチューブの振動モードを励振することを含み、
前記フローチューブの振動モードを励振することが第一のドライバを周期的に駆動するステップと第二のドライバを周期的に駆動するステップとを含み、前記第一のドライバおよび前記第二のドライバが互いに位相が異なるように振幅変調され、前記第一のドライバおよび前記第二のドライバに提供されるコマンドが合計でＮ＋１個の独立した信号を含み、
さらに
第一のピックオフと第二のピックオフとの間の位相を測定することと、
前記第一のドライバおよび前記第二のドライバを複数のオフレゾナンス周波数で励振することと、
前記複数のオフレゾナンス周波数の各々においてモード応答と前記第一のドライバおよび前記第二のドライバとの間の有効位相を推測することと、
前記複数のオフレゾナンス周波数の各々において左側固有ベクトルの位相推定値を生成することと、
前記フローチューブの右側固有ベクトルの位相を求めることと、
前記複数のオフレゾナンス周波数における位相推定値に基づいて共振駆動周波数における左側固有ベクトルの位相を推定することと
を含む、方法。
【請求項２】
前記合計でＮ＋１個の独立した信号が、
ピックオフ信号の閉ループフィードバックとして提供されるオンレゾナンス駆動コマンドであって、前記第一のドライバおよび前記第二のドライバが同じ前記駆動コマンドを受け取る、オンレゾナンス駆動コマンドと、
複数の振幅変調開ループオフレゾナンス駆動コマンドであって、前記第一のドライバに提供される前記駆動コマンドが前記第二のドライバに提供される前記駆動コマンドとは異なる位相で振幅変調される、オフレゾナンス駆動コマンドと
を含む、請求項１に記載の方法。
【請求項３】
前記複数のオフレゾナンス周波数の関数である位相変化モデルを生成することをさらに含む、請求項１に記載の方法。
【請求項４】
前記フローチューブを流れる物質の実際の流量を求めるステップが、
前記右側固有ベクトルの位相を用いて前記フローチューブを流れる物質の補正前流量を求めることと、
前記補正前流量を前記実際の流量と比較することにより前記フローチューブを流れる物質の流量のゼロオフセットを求めることと
をさらに含む、請求項３に記載の方法。
【請求項５】
前記ゼロオフセットにより補正された前記右側固有ベクトルの位相を用いて前記フローチューブを流れる物質の流量を求めることをさらに含む、請求項４に記載の方法。
【請求項６】
右側固有ベクトルの位相を求めることと、
前記左側固有ベクトルの位相で前記右側固有ベクトルの位相を平均することにより前記フローチューブを流れる物質の流量のゼロオフセットを求めることと、
前記第一のドライバを前記第一のピックオフセンサーと並置させることと、
前記第二のドライバを前記第二のピックオフセンサーと並置させることと
をさらに含む、請求項１に記載の方法。
【請求項７】
前記第一のドライバを第一の信号で周期的に駆動するステップが前記第一のドライバを正弦波で駆動することを含み、前記第二のドライバを前記第二の信号で周期的に駆動するステップが前記第二のドライバを正弦波で駆動することを含む、請求項１に記載の方法。
【請求項８】
前記左側固有ベクトルの位相および前記右側固有ベクトルの位相を定期的に測定することと、前記左側固有ベクトルの位相と前記右側固有ベクトルの位相との間の差から直接Δｔ値を生成することとをさらに含む、請求項１に記載の方法。
【請求項９】
フローチューブに物質を流すことと、
第一のドライバが周期的に駆動され、第二のドライバが周期的に駆動されるように前記フローチューブを振動モードで周期的に励振することとを含み、
前記第一のドライバおよび前記第二のドライバが互いに位相が異なるように振幅変調され、前記第一のドライバおよび前記第二のドライバに提供される駆動コマンドが合計でＮ＋１個の独立した信号を含み、
さらに、
複数のオフレゾナンス周波数を用いて前記第一のドライバおよび前記第二のドライバを周期的に励振することと、
振動する前記フローチューブの相対運動を測定することと、
前記フローチューブを前記振動モードで励振させながら右側固有ベクトルの位相を測定することと、
前記複数のオフレゾナンス周波数の各々においてモード応答と前記第一のドライバおよび前記第二のドライバとの間の有効位相を推測することと、
前記複数のオフレゾナンス周波数の各々において左側固有ベクトルの位相推定値を生成することと、
前記複数のオフレゾナンス周波数における位相推定値に基づいて共振駆動周波数における左側固有ベクトルの位相を推定することと、
ゼロオフセットにより補正された右側固有ベクトルの位相を用いて前記フローチューブを流れる物質の流量を求めることと、
前記フローチューブの左側固有ベクトルの位相を用いて前記フローチューブを流れる物質を止めることなく新たなゼロオフセットを求めることと、
前記新たなゼロオフセットにより補正された右側固有ベクトルの位相を用いて前記フローチューブを流れる物質の流量を求めることと
を含む、方法。
【請求項１０】
前記第一のドライバを前記第一のピックオフセンサーと並置させることと、前記第二のドライバを前記第二のピックオフセンサーと並置させることとをさらに含む、請求項９に記載の方法。
【請求項１１】
１つ以上のフローチューブ（１０３、１０３’）ならびに第一のピックオフセンサー（１７０Ｌ）および第二のピックオフセンサー（１７０Ｒ）を有するセンサー組立体（１０）と、
前記１つ以上のフローチューブ（１３０、１３０’）を振動させるように構成される第一のドライバ（１８０Ｌ）および第二のドライバ（１８０Ｒ）と、
前記第一のピックオフセンサー（１７０Ｌ）および前記第二のピックオフセンサー（１７０Ｒ）と結合され、前記第一のドライバ（１８０Ｌ）および前記第二のドライバ１８０Ｒ）と結合され、前記第一のドライバ（１８０Ｌ）および前記第二のドライバ（１８０Ｒ）に第一の信号を提供するように構成されるメーター電子機器（２０）とを備え、
前記第一のドライバ（１８０Ｌ）および前記第二のドライバ（１８０Ｒ）が互いに位相が異なるように振幅変調され、前記第一のドライバ（１８０Ｌ）および前記第二のドライバ（１８０Ｒ）に提供される駆動コマンドが合計でＮ＋１個の独立した信号を含み、前記第一のドライバ（１８０Ｌ）および前記第二のドライバ（１８０Ｒ）が複数のオフレゾナンス周波数で励振され、前記複数のオフレゾナンス周波数の各々においてモード応答と前記第一のドライバおよび前記第二のドライバとの間の有効位相が推測され、前記複数のオフレゾナンス周波数の各々において左側固有ベクトルの位相が生成され、前記メーター電子機器（２０）が、第一のピックオフ（１７０Ｌ）と第二のピックオフ（１７０Ｒ）との間の位相を測定し、前記フローチューブ（１３０、１３０’）の右側固有ベクトルの位相を求めるようにさらに構成され、前記複数のオフレゾナンス周波数における前記複数の位相推定値に基づいて共振駆動周波数における左側固有ベクトルが推定されるように構成されてなる、振動式流量計（５）。
【請求項１２】
前記メーター電子機器（２０）が、前記右側固有ベクトルの位相を用いて前記一つ以上のフローチューブ（１３０、１３０’）を流れる物質の補正前流量を求め、該補正前流量を前記実際の流量と比較することにより、前記１つ以上のフローチューブ（１３０、１３０’）を流れる物質の流量のゼロオフセットを求めるようにさらに構成されてなる、請求項１１に記載の振動式流量計（５）。
【請求項１３】
前記メーター電子機器（２０）が、前記ゼロオフセットにより補正された前記右側固有ベクトルの位相を用いて前記１つ以上のフローチューブ（１３０、１３０’）を流れる物質の流量を求めるようにさらに構成されてなる、請求項１１に記載の振動式流量計（５）。
【請求項１４】
前記メーター電子機器（２０）が、右側固有ベクトルの位相を求め、該右側固有ベクトルの位相を前記左側固有ベクトルの位相で重み付け平均することにより前記１つ以上のフローチューブ（１３０、１３０’）を流れる物質の流量のゼロオフセットを求めるようにさらに構成されてなる、請求項１１に記載の振動式流量計（５）。
【請求項１５】
前記第一のドライバ（１８０Ｌ）が前記第一のピックオフセンサー（１７０Ｌ）と並置され、前記第二のドライバ（１８０Ｒ）が前記第二のピックオフセンサー（１７０Ｒ）と並置されてなる、請求項１１に記載の振動式流量計（５）。
【請求項１６】
前記第一の信号が正弦波である、請求項１１に記載の振動式流量計（５）。
【発明の詳細な説明】
【技術分野】
【０００１】
本発明は流量計に関するものであり、とくにコリオリ式流量計に関するものである。
【背景技術】
【０００２】
流体を搬送するチューブを振動させ、チューブ上の２つ以上の部位における振動応答と振動応答との間の時間遅延（または位相角）を測定することにより、コリオリ式流量計により質量流量が測定されている。実際の状況では、時間遅延は質量流量とともに直線的に変化するものの、質量流量が零の時に零にならないのが一般的である。たとえば計器の電子機器内では、非比例減衰、残留柔軟性応答、電磁的クロストークまたは位相遅延の如き複数の要因により引き起こされるゼロ流量遅延またはゼロ流量オフセットが通常存在している。
【０００３】
通常、このゼロ流量オフセットは、流れのない状態においてゼロ流量オフセットを測定し、流れのある状態で測定される次の測定結果からゼロ流量オフセット測定値を減算することにより補正される。ゼロ流量オフセットが一定のままであるならば、ゼロ流量オフセット問題の解決にはこれで十分のはずである。しかしながら残念なことに、ゼロ流量オフセットは、周囲環境（たとえば、温度）の僅かな変化によりまたは物質が流れる配管システムの変化により影響を受ける恐れがある。ゼロ流量オフセットが変化すると流量測定値に誤差を生じさせてしまうことになる。正常動作時では、流れのない状態と流れのない状態との間の期間が長く、これらの流れのない状態においてのみ流量計をゼロに設定して流量計を較正することができるので、ゼロオフセットが時間の経過とともに変化してしまうと、大きな誤差が流量測定結果に生じうることになる。
【０００４】
コリオリ式流量計の動作は数式を用いて説明することができる。このことについてはＭｉｃｒｏ  Ｍｏｔｉｏｎ  Ｉｎｃ．社に付与されている米国特許第７，４４１，４６９号および同第７，７０６，９８７号に詳細に記載されている。これらの特許はここで参照することにより援用するものとする。線形システムの運動を説明する一般１次微分方程式系は次の通りである：
【０００５】
【数１】
0006495537.tif 000002
【０００６】
式（１）において、ＭおよびＫはシステムの質量マトリックスおよび剛性マトリックスであり、Ｃは減衰に起因する対称な構成要素およびコリオリ力に起因する歪対称な構成要素を有しうる一般減衰マトリックスである。
【０００７】
【数２】
0006495537.tif 000003
【０００８】
式１は式２に書き直すことができる。式２において、Ａはマトリックス
【０００９】
【数３】
0006495537.tif 000004
【００１０】
と等しく、Ｂはマトリックス
【００１１】
【数４】
0006495537.tif 000005
【００１２】
と等しく、ｕは
【００１３】
【数５】
0006495537.tif 000006
【００１４】
と等しい。
【００１５】
式１および式２に目を向けると、この運動方程式についての洞察を得ることができる。式（２）に関連する一般化された固有値問題は、右側固有ベクトルφ（ｒ）について次のような解を得ることができる：
【００１６】
【数６】
0006495537.tif 000007
【００１７】
ＡマトリックスおよびＢマトリックスが対称な場合、固有ベクトルを用いて運動方程式を対角化または分離させることができる。分離後の方程式は容易に解くことができる。例えばＣがコリオリマトリックスを含む非対称なシステムの場合、右側固有ベクトルは運動方程式を対角化せず、結合方程式が得られる。結合方程式は解くのがより困難であり、解を求める妨げとなる。非対称なＡマトリックスまたはＢマトリックスを対角化するには左側固有ベクトルが必要となる。次の導出はこの過程を示したものである。左側固有ベクトルは次の一般化された固有値問題の解を求めることにより得られる：
【００１８】
【数７】
0006495537.tif 000008
【００１９】
コリオリ式流量計の場合ＭおよびＫは通常対称である。流れがない場合、Ｃも対称であるので、システムマトリックスＡおよびＢは対称となる。この場合、式（３）および式（４）は同一であり、左側固有ベクトルは右側固有ベクトルと同じものとなる。流れがある場合、Ｃマトリックスに付随する非対称性により左側固有ベクトルは右側固有ベクトルとは異なるものとなる。
【００２０】
ｊ’番目の右側固有ベクトルを検討すると：
【００２１】
【数８】
0006495537.tif 000009
【００２２】
また、ｉ’番目の左側固有ベクトルを検討すると：
【００２３】
【数９】
0006495537.tif 000010
【００２４】
式（５）を
【００２５】
【数１０】
0006495537.tif 000011
【００２６】
で前から乗算（ｐｒｅ−ｍｕｌｔｉｐｌｙ）し、式（６）を
【００２７】
【数１１】
0006495537.tif 000012
【００２８】
で後ろから乗算（ｐｏｓｔ−ｍｕｌｔｉｐｌｙ）し、両者の差を計算すると、次の式が得られる：
【００２９】
【数１２】
0006495537.tif 000013
【００３０】
式（５）を１／λｊで乗算し、式（６）を１／λｉで乗算し、同じ手順を行うことにより，次の式が得られる：
【００３１】
【数１３】
0006495537.tif 000014
【００３２】
式（７）および式（８）は、システムマトリックスＡまたはＢのいずれかに左側固有ベクトルマトリックスΦ（Ｌ）を前から乗算し、右側固有ベクトルマトリックスΦ（Ｒ）を後から乗算することにより、システムマトリックスが対角化されることを示している。すなわち、次の式が得られる：
【００３３】
【数１４】
0006495537.tif 000015
【００３４】
左側固有ベクトルマトリックスおよび右側固有ベクトルマトリックスがシステムマトリックスを対角化するという事実は、一組の右側固有ベクトルおよび一組の左側固有ベクトルトの両方が一次独立であることを意味する。何れの組でも応答の座標系の基底として用いることができる。左側固有ベクトルと右側固有ベクトルとの間の差が歪対称を有するコリオリマトリックスに起因するということを認識することが本発明の１つの基礎をなしている。
【００３５】
流量計の数学モデルに関しては、非コリオリ効果をモデル化する質量マトリックス、剛性マトリックスおよび減衰マトリックスは対称である。流れのないシステムの場合、左側固有ベクトルおよび右側固有ベクトルは同一である（任意の倍率内では）。しかしながら、流れに付随するコリオリ力は、数学モデルでは歪対称減衰マトリックスとなって現れる（転置マトリックスが元のマトリックスに負の符号を付けたものとなる）。歪対称コリオリマトリックスによりシステムの左側固有ベクトルと右側固有ベクトルとを異なるようにする。非比例減衰のない流れシステムの場合、左側固有ベクトルの様々な係数間の相対位相は右側固有ベクトルの同じ係数間の相対位相と大きさが等しく、符号が反対となる。非比例減衰を有するシステムの場合、これらの位相値は左側固有ベクトルおよび右側固有ベクトルの両方について等しくオフセットされるが、差は同じままである。
【発明の概要】
【発明が解決しようとする課題】
【００３６】
以上のように、左側固有ベクトルおよび右側固有ベクトルの位相特性を正確に測定することができる場合、この位相特性は、非比例減衰によるゼロオフセットに起因する位相と物質流量に起因する位相とを区別し、付随するゼロオフセット誤差をなくすことを可能とする。
【００３７】
加えて、位相から周波数への変換が不正確さの源である可能性が存在することが証明されていることを指摘しておくことが重要であり、とくに流量計システムが閉ループフィードバック信号により駆動されている場合にとくに注目に値する。このようなフィードバックスキームを用いると、流量計システムの開ループ特性の位相変化を本来もたらすはずであった。たとえば左側ドライバから右側ドライバへのスイッチング如き行為がそうではなく駆動周波数の変化をもたらすことになる。とくに低減衰流量計では、比較的大きな位相の変化が比較的小さな振動数のシフトとして現れる。このことは、閉ループにおいて位相効果を観察することが極めて困難であることを意味する。というのは、周波数変化があまりにも小さくなってしまい検出ができなくなってしまうからである。このような課題が記載の実施形態により対処されるようになっている。要するに、流動時にゼロ流量オフセットを正確に較正するためのシステムおよび方法が必要とされており、かかるシステムおよび方法は、オフレゾナンス（ｏｆｆ−ｒｅｓｏｎａｎｃｅ）で送られる開ループ試験信号の測定に関連する実施形態によって提供されている。
【課題を解決するための手段】
【００３８】
ある実施形態にかかる方法が提供されている。かかる方法は、フローチューブの振動モードを励振することを含み、当該フローチューブの振動モードを励振することは第一のドライバを周期的に駆動するステップと第二のドライバを周期的に駆動するステップとを含み、第一のドライバおよび第二のドライバは互いに位相が異なるように振幅変調され、第一のドライバおよび第二のドライバに提供されるコマンドは合計でＮ＋１個の独立した信号を含んでいる。また、かかる方法は、第一のピックオフと第二のピックオフとの間の位相を測定することをさらに含んでいる。また、かかる方法は、第一のドライバおよび第二のドライバを複数のオフレゾナンス周波数で励振することと、 複数のオフレゾナンス周波数の各々においてモード応答と第一のドライバおよび第二のドライバとの間の有効位相を推測することとをさらに含んでいる。加えて、かかる方法は、複数のオフレゾナンス周波数の各々において左側固有ベクトルの位相推定値を生成することと、フローチューブの右側固有ベクトルの位相を求めることと、 複数のオフレゾナンス周波数における位相推定値に基づいて共振駆動周波数（ｒｅｓｏｎａｎｔ  ｄｒｉｖｅ  ｆｒｅｑｕｅｎｃｙ）における左側固有ベクトルの位相を推定することとをさらに含んでいる。
【００３９】
ある実施形態にかかる方法が提供されている。かかる方法は、フローチューブに物質を流すことと、 第一のドライバが周期的に駆動され、第二のドライバが周期的に駆動されるようにフローチューブを振動モードで周期的に励振することとを含み、第一のドライバおよび第二のドライバは互いに位相が異なるように振幅変調され、第一のドライバおよび第二のドライバに提供される駆動コマンドは合計でＮ＋１個の独立した信号を含んでいる。かかる方法は、複数のオフレゾナンス周波数で第一のドライバおよび第二のドライバを周期的に励振することと、 振動するフローチューブの相対運動を測定することと、 フローチューブの振動モードを励振しながら右側固有ベクトルの位相を測定することと、 複数のオフレゾナンス周波数の各々においてモード応答と第一のドライバおよび第二のドライバとの間の有効位相を推測することとをさらに含んでいる。加えて、かかる方法は、複数のオフレゾナンス周波数の各々において左側固有ベクトルの位相推定値を生成することと、 複数のオフレゾナンス周波数における位相推定値に基づいて共振駆動周波数における左側固有ベクトルの位相を推定することとをさらに含んでいる。フローチューブを流れる物質の流量はゼロオフセットにより補正された右側固有ベクトルの位相を用いて求められる。また、かかる方法は、フローチューブの左側固有ベクトルの位相を用いてフローチューブを流れる物質を止めることなく新たなゼロオフセットを求めることと、 新たなゼロオフセットにより補正された右側固有ベクトルの位相を用いてフローチューブを流れる物質の流量を求めることとをさらに含んでいる。
【００４０】
ある実施形態にかかる振動式流量計が提供されている。かかる振動式流量計は、１つ以上のフローチューブと、第一のピックオフセンサーおよび第二のピックオフセンサーを有するセンサー組立体と、１つ以上のフローチューブを振動させるように構成される第一のドライバおよび第二のドライバとを備えている。メーター電子機器（２０）は、第一のピックオフセンサーおよび第二のピックオフセンサーと結合され、第一のドライバおよび第二のドライバと結合され、第一のドライバおよび第二のドライバに第一の信号を提供するように構成され、第一のドライバおよび第二のドライバは互いに位相が異なるように振幅変調され、第一のドライバおよび第二のドライバに提供される駆動コマンドは合計でＮ＋１個の独立した信号を含み、第一のドライバおよび第二のドライバは複数のオフレゾナンス周波数で励振され、複数のオフレゾナンス周波数の各々においてモード応答と第一のドライバおよび第二のドライバとの間の有効位相が推測され、複数のオフレゾナンス周波数の各々において左側固有ベクトルの位相が生成され、メーター電子機器は、第一のピックオフと第二のピックとの間の位相を測定し、フローチューブの右側固有ベクトルの位相を求めるように構成され、共振駆動周波数における左側固有ベクトルは複数のオフレゾナンス周波数における複数の位相推定値に基づいて推定される。
態様
ある態様にかかる方法は、フローチューブの振動モードを励振することを含み、当該フローチューブを振動モードで励振することが第一のドライバを周期的に駆動するステップと第二のドライバを周期的に駆動するステップとを含み、第一のドライバおよび第二のドライバが互いに位相が異なるように振幅変調され、第一のドライバおよび第二のドライバに提供されるコマンドが合計でＮ＋１個の独立した信号を含み、さらに、第一のピックオフと第二のピックオフとの間の位相を測定することと、 第一のドライバおよび第二のドライバを複数のオフレゾナンス周波数で励振することと、 複数のオフレゾナンス周波数の各々においてモード応答と第一のドライバおよび第二のドライバとの間の有効位相を推測することと、 複数のオフレゾナンス周波数の各々において左側固有ベクトルの位相推定値を生成することと、 フローチューブの右側固有ベクトルの位相を求めることと、 複数のオフレゾナンス周波数における位相推定値に基づいて共振駆動周波数における左側固有ベクトルの位相を推定することと、複数のオフレゾナンス周波数における位相推定値に基づいて共振駆動周波数における左側固有ベクトルの位相を推定することとを含んでいる。
【００４１】
好ましくは、合計でＮ＋１個の独立した信号は、 ピックオフ信号の閉ループフィードバックとして提供されるオンレゾナンス駆動コマンド（ｏｎ−ｒｅｓｏｎａｎｃｅ）であって、第一のドライバおよび第二のドライバが同じ駆動コマンドを受け取る、オンレゾナンス駆動コマンドと、 複数の振幅変調開ループオフレゾナンス駆動コマンドであって、第一のドライバに提供される駆動コマンドが第二のドライバに提供される前記駆動コマンドと異なる位相で振幅変調される、オフレゾナンス駆動コマンドとを含む。
【００４２】
好ましくは、かかる方法は、複数のオフレゾナンス周波数の関数である位相変化モデルを生成することをさらに含む。
【００４３】
好ましくは、フローチューブを流れる物質の実際の流量を求めるステップは、右側固有ベクトルの位相を用いてフローチューブを流れる物質の補正前流量を求めることと、 補正前流量を実際の流量と比較することによりフローチューブを流れる物質の流量のゼロオフセットを求めることとをさらに含む。
【００４４】
好ましくは、かかる方法は、ゼロオフセットにより補正された右側固有ベクトルの位相を用いてフローチューブを流れる物質の流量を求めることをさらに含む。
【００４５】
好ましくは、かかる方法は、右側固有ベクトルの位相を求めることと、左側固有ベクトルの位相で右側固有ベクトルの位相を平均することによりフローチューブを流れる物質の流量のゼロオフセットを求めることと、第一のドライバを第一のピックオフセンサーと並置させることと、第二のドライバを第二のピックオフセンサーと並置させることとをさらに含む。
【００４６】
好ましくは、第一のドライバを第一の信号で周期的に駆動するステップは第一のドライバを正弦波で駆動することを含み、第二のドライバを第二の信号で周期的に駆動するステップは第二のドライバを正弦波で駆動することを含む。
【００４７】
好ましくは、かかる方法は、左側固有ベクトルの位相および右側固有ベクトルの位相を定期的に測定することと、左側固有ベクトルの位相と右側固有ベクトルの位相との間の差から直接Δｔ値を生成することとをさらに含む。
【００４８】
ある態様にかかる方法は、フローチューブに物質を流すことと、 第一のドライバが周期的に駆動され、第二のドライバが周期的に駆動されるようにフローチューブを振動モードで周期的に励振することとを含み、第一のドライバおよび第二のドライバが異なる位相で振幅変調され、第一のドライバおよび第二のドライバに提供される駆動コマンドが合計でＮ＋１個の独立した信号を含み、 さらに、複数のオフレゾナンス周波数を用いて第一のドライバおよび第二のドライバを周期的に励振することと、 振動するフローチューブの相対運動を測定することと、 フローチューブの振動モードを励振しながら右側固有ベクトルの位相を測定することと、 複数のオフレゾナンス周波数の各々においてモード応答と第一のドライバおよび第二のドライバとの間の有効位相を推測することと、 複数のオフレゾナンス周波数の各々において左側固有ベクトルの位相推定値を生成することと、 複数のオフレゾナンス周波数における位相推定値に基づいて共振駆動周波数における左側固有ベクトルの位相を推定することと、 ゼロオフセットにより補正された右側固有ベクトルの位相を用いてフローチューブを流れる物質の流量を求めることと、 フローチューブの左側固有ベクトルの位相を用いてフローチューブを流れる物質を止めることなく新たなゼロオフセットを求めることと、 新たなゼロオフセットにより補正された右側固有ベクトルの位相を用いてフローチューブを流れる物質の流量を求めることとを含んでいる。
【００４９】
好ましくは、かかる方法は、第一のドライバを第一のピックオフセンサーと並置させることと、第二のドライバを第二のピックオフセンサーと並置させることとをさらに含む。
【００５０】
ある態様にかかる振動式流量計は、１つ以上のフローチューブならびに第一のピックオフセンサーおよび第二のピックオフセンサーを有するセンサー組立体と、 １つ以上のフローチューブを振動させるように構成される第一のドライバおよび第二のドライバと、 第一のピックオフセンサーおよび第二のピックオフセンサーと結合され、第一のドライバおよび第二のドライバと結合され、第一のドライバおよび第二のドライバに第一の信号を提供するように構成されるメーター電子機器とを備え、第一のドライバおよび第二のドライバは互いに位相が異なるように振幅変調され、第一のドライバおよび第二のドライバに提供される駆動コマンドは合計でＮ＋１個の独立した信号を含み、第一のドライバおよび第二のドライバは複数のオフレゾナンス周波数で励振され、複数のオフレゾナンス周波数の各々においてモード応答と第一のドライバおよび第二のドライバとの間の有効位相が推測され、複数のオフレゾナンス周波数の各々において左側固有ベクトルの位相が生成され、メーター電子機器は、第一のピックオフと第二のピックとの間の位相を測定し、フローチューブの右側固有ベクトルの位相を求めるようにさらに構成され、複数のオフレゾナンス周波数における複数の位相推定値に基づいて共振駆動周波数における左側固有ベクトルが推定される。
【００５１】
好ましくは、メーター電子機器は、右側固有ベクトルの位相を用いて一つ以上のフローチューブを流れる物質の補正前流量を求め、補正前流量を実際の流量と比較することにより、１つ以上のフローチューブを流れる物質の流量のゼロオフセットを求めるようにさらに構成される。
【００５２】
好ましくは、メーター電子機器は、ゼロオフセットにより補正された右側固有ベクトルの位相を用いて１つ以上のフローチューブを流れる物質の流量を求めるようにさらに構成される。
【００５３】
好ましくは、メーター電子機器は、右側固有ベクトルの位相を求め、右側固有ベクトルの位相を左側固有ベクトルの位相で重み付け平均することにより１つ以上のフローチューブを流れる物質の流量のゼロオフセットを求めるようにさらに構成される。
【００５４】
好ましくは、第一のドライバは第一のピックオフセンサーと並置され、第二のドライバは第二のピックオフセンサーと並置される。
【００５５】
好ましくは、第一の信号は正弦波である。
【図面の簡単な説明】
【００５６】
【図１】流量計のピックオフセンサー（右側固有ベクトル）およびドライバ（左側固有ベクトル）の間の位相差を示す図である。
【図２】ある実施形態にかかる振動式流量計を示す図である。
【図３Ａ】本発明の例示的な実施形態において非湾曲位置にあるフローチューブを示す平面図である。
【図３Ｂ】本発明の例示的な実施形態において主曲げモードに対応する湾曲位置にあるフローチューブを示す平面図である。
【図３Ｃ】本発明の例示的な実施形態においてコリオリ力により誘発された捻れモードに対応する湾曲位置にあるフローチューブを示す平面図である。
【図４】位相を周波数に変換する一例を示す図である。
【図５】従来の２位相スイッチングを示す図である。
【図６】ある実施形態にかかる周期的位相スイッチングを示す図である。
【図７】ある実施形態に従って右側固有ベクトルの相対位相を求める方法を示すフローチャートである。
【図８】ある実施形態に従って左側固有ベクトルの相対位相を求める方法を示すフローチャートである。
【図９】ある実施形態に従って左側固有ベクトルの相対位相を推定する方法を示すフローチャートである。
【発明を実施するための形態】
【００５７】
図１〜図９および下記の記載には、本発明を最良のモードで作製および利用する方法を当業者に教示するための具体的な実施形態が示されている。本発明の原理を教示するために、従来技術の一部が単純化または省略されている。当業者にとって明らかなように、これらの実施形態の変形例もまた本発明の技術範囲内に含まれる。また、当業者にとって明らかなように、下記の記載の構成要素をさまざまな方法で組み合わせて本発明の複数の変形例を形成することもできる。したがって、本発明は、下記に記載の特定の実施形態に限定されるものではなく、特許請求の範囲およびその均等物によってのみ限定されるものである。
【００５８】
残留柔軟性、電磁的クロストークおよび電子測定システム特性はすべてゼロオフセットの要因となる。これらの影響の１つの解釈としては、右側固有ベクトルの位相の測定に誤差を導入してしまうということが挙げられる。駆動モード（右側固有ベクトル）を正確に測定することができれば、非比例減衰がゼロオフセットを引き起こすただ一つの影響となり、この誤差については左右固有ベクトルのΔｔ情報を用いて流れの影響から容易に区別することが可能である。ドライバとピックオフが並置される場合、流れに起因する位相はピックオフと同様にドライバに対しても負の影響を生じさせるものの、他の原因に起因する位相はドライバとピックオフとにおいて同じとなり、このことにより、流れに起因する位相をピックオフ位相とドライバ位相との間の差として分離することが可能となる。したがって、ゼロ点の影響を受けない流量測定を行うことが可能となる。図１を参照すると、左側固有ベクトルの位相および右側固有ベクトルの位相が示されている。上述のように、非比例減衰（図１にＮＤと表記されている）により、左側固有ベクトルの位相および右側固有ベクトルの位相にオフセットが引き起こされ、位相が流れに関して影響されないままであることが明らかである。このオフセットは単に平均値であり、測定結果を差分することにより取り除くことができる。この原理が、提示されている実施形態の基礎をなすものである。
【００５９】
図２には、ある実施形態にかかる振動式流量計５が示されている。流量計５は、センサー組立体１０と、このセンサー組立体１０と結合されているメーター電子機器２０とを備えている。センサー組立体１０はプロセス物質の質量流量および密度に反応するようになっている。メーター電子機器２０は、リード線１００を介してセンサー組立体１０と接続され、通信リンク２６を通じて密度、質量流量、温度に関する情報および他の情報を提供するようになっている。コリオリ式流量計の構成が説明されているが、当業者にとって明らかなように、本発明を振動管式デンシトメータとして実施してもよい。
【００６０】
センサー組立体１０は、マニホルド１５０、１５０’と、フランジネック１１０、１１０’を有するフランジ１０３、１０３’と、並列に配置されるフローチューブ１３０、１３０’と，第一のドライバ１８０Ｌおよび第二のドライバ１８０Ｒと、第一のピックオフセンサー１７０Ｌおよび第二のピックオフセンサー１７０Ｒとを有している。第一のドライバ１８０Ｌおよび第二のドライバ１８０Ｒは、１つ以上のフローチューブ１３０、１３０’に間隔をおいて配置されている。加えて、実施形態によっては、センサー組立体１０が温度センサー１９０を有している場合もある。フローチューブ１３０、１３０’はそれぞれフローチューブマウント用ブロック１２０、１２０’に向けて互いの間隔が狭くなっていく２つの実質的に真っ直ぐな流入口脚部１３１、１３１’と流出口脚部１３４、１３４’を有している。フローチューブ１３０、１３０’は、それぞれ、その長さ方向に沿った位置にある２つの対称な部位で曲がり、かつ、その長さ方向に沿って実質的に平行に配置されている。ブレースバー１４０、１４０’は軸線Ｗおよびそれと実質的に平行な軸線Ｗ’を規定する働きをし、各フローチューブはそれを中心として振動するようになっている。特筆すべきことは、ある実施形態では、第一のドライバ１８０Ｌは第一のピックオフセンサー１７０Ｌと並置され、第二のドライバ１８０Ｒは第二のピックオフセンサー１７０Ｒと並置されるようになっていてもよいという点にある。
【００６１】
フローチューブ１３０の側脚部１３１、１３４はそれぞれフローチューブマウント用ブロック１２０、１２０’に固定され、これらのブロックはそれぞれマニホルド１５０、１５０’に固定されている。同様に、フローチューブ１３０’の側脚部１３１’、１３４’はそれぞれフローチューブマウント用ブロック１２０、１２０’に固定されている。このようにすることにより、センサー組立体１０を通る連続しかつ閉じた物質経路が形成されることになる。
【００６２】
孔１０２、１０２’を有するフランジ１０３、１０３’を被測定プロセス物質を移送するプロセス配管（図示せず）と流入口端部１０４および流出口端部１０４’を介して接続すると、物質は、フランジ１０３内のオリフィス１０１を通り、振動式流量計の流入口端部１０４の中へと流入し、マニホルド１５０を通り、表面１２１を有するフローチューブマウント用ブロック１２０へと導かれていく。プロセス物質は、マニホルド１５０内で分流し、フローチューブ１３０、１３０’を流れ、フローチューブ１３０、１３０’から流出すると、マニホルド１５０’内で合流して１つのストリームとなり、その後、流出口端部１０４’へ導かれる。この流出口端部１０４’は、ボルト孔１０２’を有するフランジ１０３’によってプロセス配管（図示せず）に接続されている。
【００６３】
フローチューブ１３０、１３０’は、それぞれ曲げ軸線Ｗ−Ｗ、Ｗ’−Ｗ’に対して実質的に同一の質量分布、慣性モーメントおよびヤング率を有するように選択され、フローチューブマウント用ブロック１２０、１２０’に適切にマウントされる。これらの曲げ軸線はブレースバー１４０、１４０’を貫通するようになっている。フローチューブのヤング率が温度とともに変化し、この変化が流量および密度の計算に影響を与えるので、測温抵抗体（ＲＴＤ）１９０がフローチューブ１３０’にマウントされてフローチューブの温度が連続的に測定されるようになっている。ＲＴＤ１９０の両端に現れる温度依存性電圧は、フローチューブ温度の変化に起因するフローチューブ１３０、１３０’の弾性率の変化を補償するためにメーター電子機器２０により用いられる。ＲＴＤ１９０はリード線１９５によりメーター電子機器２０に接続されている。
【００６４】
図３Ａ〜図３Ｃは、物質が流れるように構成されるフローチューブ１３０、１３０’を示す平面図である。２つのドライバ１８０Ｌ、１８０Ｒおよび２つのピックオフセンサー１７０Ｌ、１７０Ｒは、フローチューブ１３０、１３０’に沿って間隔をおいて配置されている。好ましい形態では、２つのドライバ１８０Ｌ、１８０Ｒはフローチューブ１３０、１３０’の軸方向中央部を中心に対称となるように間隔をおいて配置されるようになっている。２つのドライバ１８０Ｌ、１８０Ｒは、フローチューブ１３０、１３０’に力を印加してフローチューブ１３０、１３０’を複数の振動モードで励振するように構成されている。力は実質的にコヒーレント（たとえば、狭い周波数に制限されたもの）であってもよいしまたは広帯域のものであってもよい。２つのドライバ１８０Ｌ、１８０Ｒは、たとえばフローチューブ１３０、１３０’に取り付けられる磁石と、リファレンスに取り付けられ、振動電流が流れるコイルとから形成されているような既知の手段であってもよい。
【００６５】
１７０Ｌおよび１７０Ｒはそれぞれドライバ１８０Ｌ、１８０Ｒと並置される２つのピックオフセンサーを表している。２つのピックオフセンサーはフローチューブ１３０、１３０’の位置および運動を表わす複数の信号を生成するように構成されている。また、２つのピックオフセンサー１７０Ｌ、１７０Ｒとしては、様々なデバイス、たとえばコイルタイプ速度トラスデューサ、光学もしくは超音波運動センサー、レーザーセンサー、加速度計、慣性速度センサーなどを挙げることができる。この実施形態では、２つのピックオフセンサー１７０Ｌ、１７０Ｒが例示され、各センサーがドライバ１８０Ｌ、１８０Ｒのうちの１つと並置されるようになっている。また、２を超える数のセンサーを備える他の構成も可能である。
【００６６】
図３Ａには、非湾曲状態にあるフローチューブ１３０、１３０’が示されている。等しいパワーでドライバ１８０Ｌ、１８０Ｒを駆動することによって、フローチューブを主曲げモードで励振することができる。「振動式導管を振動させるためのドライバ」という表題を有するＭｉｃｒｏ  Ｍｏｔｉｏｎ  Ｉｎｃ．に付与された米国特許第６，０９２，４２９号には、フローチューブを様々な振動モードで励振するように構成されるドライバについて開示されている。この発明はここで参照することにより援用されるものとする。図３Ｂには、フローチューブの主曲げモードに対応する湾曲状態にあるフローチューブ１３０、１３０’が示されている。また、この振動モードは物質がフローチューブを流れていない状況に相当する。図３Ｂおよび図３Ｃのフローチューブ１３０、１３０’の湾曲は分かり易いように拡大されている。フローチューブ１３０、１３０’の実際の湾曲ははるかに小さい。物質が振動フローチューブ１３０、１３０’を流れると、この流れている物質はコリオリ力を生成させる。このコリオリ力は、フローチューブ１３０、１３０’を湾曲させ、さらなるモードの振動を励振する。図３Ｃには、コリオリ力により励振される主振動モードが示されている。センサー１７０Ｌとセンサー１７０Ｒとの間に検出される相対的位相差を用いてフローチューブ１３０、１３０’を流れる物質流量を求めることができる。流れのない状態（図３Ｂに記載）では、１７０Ｌと１７０Ｒとの間に検出される流れに起因する位相差はないものの、ゼロオフセット状態に起因する位相差は存在する可能性があることに留意されたい。いったん物質がフローチューブ１３０、１３０’を流れると、１７０Ｌと１７０Ｒとの間には流れに起因する位相差が生じる。１７０Ｌと１７０Ｒとの間に検出される位相差測定値は、システムの右側固有ベクトルの相対位相の尺度であり、フローチューブを流れる物質の流量に比例する。θＲが右側固有ベクトルの相対位相に等しく、θ１がフローチューブのセンサー１７０Ｌの位置の振動の位相測定値であり、θ２がフローチューブのセンサー１７０Ｒの位置の振動の位相測定値である場合：
【００６７】
【数１５】
0006495537.tif 000016
【００６８】
時差Δｔは位相差を振動数ωで除算することにより計算することができる。
【００６９】
【数１６】
0006495537.tif 000017
【００７０】
また、時差Δｔは、フローチューブを流れる物質の流量に比例し、質量流量計において通常用いられる測定値である。ゼロオフセット量で測定物質流量を補正して補正後のΔｔであるΔｔＣを導出することで、フローチューブ１３０、１３０’を流れる物質流量についてさらに正確な定量値を計算することができるようになる：
【００７１】
【数１７】
0006495537.tif 000018
【００７２】
本発明の１つの例示的な実施形態では、正常動作時、両方のドライバ１８０Ｌ、１８０Ｒを用いてフローチューブを主曲げ振動モードで励振するようになっている。フローチューブを流れる物質流量は，たとえば、右側固有ベクトルの位相を測定し、Δｔドメインへと変換してΔｔＲを求め、この値をゼロオフセット補正量で補正し、補正後のΔｔであるであるΔｔＲＣを求めることにより算出される：
【００７３】
【数１８】
0006495537.tif 000019
【００７４】
ある実施形態では、第一のドライバおよび第二のドライバを互いに位相が異なるように振幅変調することによりフローチューブを励振するようになっている。ある実施形態では、２つのドライバは両方とも共振周波数に一致する周波数で周期的に駆動されるようになっている。ある実施形態では、合計でＮ＋１個の独立した信号である駆動コマンドが各ドライバに提供されるようになっている。提供される合計でＮ＋１個の独立した信号のうちの１つはオンレゾナンス駆動コマンド（ｏｎ−ｒｅｓｏｎａｎｃｅ  ｄｒｉｖｅ  ｃｏｍｍａｎｄ）であり、このオンレゾナンス駆動コマンドは測定されたピックオフ信号の閉ループフィードバックとして提供される。好ましくは、ピックオフ信号の他のトーンコンテンツ（ｔｏｎａｌ  ｃｏｎｔｅｎｔ）はフィルタにより取り除かれている。この信号は、両方のドライバに対して同じであり、変調されていない。残るＮ個の信号は、Ｎ個のオフレゾナンス周波数における開ループ合成信号（ｏｐｅｎ−ｌｏｏｐ  ｓｙｎｔｈｅｓｉｚｅｄ  ｓｉｇｎａｌｓ）である。これらの信号の各々は互いに同位相で合成されるものの、左側ドライバおよび右側ドライバにおいて互いに位相が異なるように直接振幅変調される。これらの駆動信号は非常に低い周波数において振幅変調されている。この非常に低い周波数とは、切り換え周波数（ｃｙｃｌｉｎｇ  ｆｒｅｑｕｅｎｃｙ）のことであり、この切り換え周波数で位相／周波数シフトが後に復調される。これらの（切り換え周波数において）振幅変調された駆動信号は位相が異なっている。共振周波数／駆動周波数における各ドライバへの駆動信号は、実質的に同一の信号であり、対応する変調信号により乗算されている。周期的なスイープは正弦波状、矩形波状、ノコギリ波状などであってもよい。フローチューブの１つ以上の数の部位において駆動信号との間の位相が測定される。これらの測定結果はシステムの左側固有ベクトルの相対位相を求めるために用いられる。特筆すべきことは、ピックオフとピックオフとの間の位相の測定が簡単な作業であるという点にある。２つのピックオフ間の位相信号Ｘ１、Ｘ２が与えられると、それらの間の位相は単に位相Ｘ２から位相Ｘ１を引き算すことによりすぐに求めることができる。この位相差は右側固有ベクトルの位相である。しかしながら、ドライバとドライバとの間の位相の測定はより困難である。駆動信号はシステムへの入力であるので、ドライバとドライバとの間の位相は理論上それに入力される信号と信号との間の差である。しかしながら、このことはシステム全体を考慮に入れていない。各ドライバとモード応答との間の有効位相を求めるのにはシステムの特性が考慮に入れられる。実際、ドライバから特定のピックオフまでの位相を測定することにより、
【００７５】
【数１９】
0006495537.tif 000020
【００７６】
を演算することが可能となる。この計算は複雑である。というのは、両方のドライバを同時にかつ同じ周波数で駆動すると、２つのドライバの個々の効果を区別することができないため、（Ｘｉ／Ｆ１）の測定と（Ｘｉ／Ｆ２）の測定とを同時に行うことはできないからである。このような理由で、ある実施形態では、第一のドライバのみをある与えられたトーンで駆動している時のピックオフの位相が第二のドライバのみを駆動している時のピックオフの位相と比較されるようになっている。したがって、この周波数において２つのドライバを異なる位相で切り換える必要がある。
【００７７】
図４から明らかなように、このアプローチの固有の主要難題として、システムの位相から周波数への変換が非常に急激であり、流量計全体にわたる比較的大きな相変化に対して非常に小さな周波数変化が生じることと、その逆方向の変換もさらに難しいということとを挙げることができる。上述のように、流量計５が閉ループフィードバック信号を用いて駆動され、１つ以上のピックオフ信号がスケーリングされてフィードバックされ、駆動信号が生成されるような場合、位相から周波数への変換にはいくつかの問題が存在する。このフィードバック駆動スキームの下では、システムの開ループ特性における位相変化で本来あるはずのものがそうではなく駆動周波数のシフトとして現れる。これはフィードバック駆動方式に固有の特性である。定義により、開ループシステムの位相はシステムのフィードバック部の位相と一致させなければならないので、これら２つの位相を一致させるには駆動周波数の変更が必要となる。このことは、閉ループコントローラーから自動的にもたらされる。図４はとくに低減衰流量計５に関連するものである。比較的大きな位相変化が比較的小さな周波数シフトとして現れるので、周波数変化が小さすぎて正確に検出することができない。
【００７８】
したがって、必要とされる周波数の精度は、極めて高く、ナノヘルツ程度である。この位相スイッチングに対する従来のアプローチは２つのドライバを２値的（ｉｎ  ａ  ｂｉｎａｒｙ  ｍａｎｎｅｒ）に効果的に切り換える（ｔｏｇｇｌｅ）ことである。この従来のアプローチは、信号が消滅するのに少なくとも数秒間（１５〜３０）待ってから切り換えられた新たなドライバから新たな周波数を観察することを必要とする。このような長い遅延は使用されるシステムによっては実用的ではない。このドライブの急激な遷移を用いてドライブを定期的に繰り返し切り換える場合、ドライブの遷移に対するシステムの過渡応答が完全に消滅してしまうことは実際のところ決してない。このことが図５に示されている。図６を参照すると、駆動信号振幅が周期的に切り換えて過渡信号を最小に抑えるようになっている実施形態が例示されている。このアプローチでは、時間に対する駆動信号振幅の変化の傾斜が最小限に抑えられるため（ある与えられた必要な切り換え周波数において）、システムに対する衝撃が最小限に抑えられる。このアプローチでは、駆動動作が完全に一方のドライバまたは他方のドライバにあるのはほんの一瞬の間だけであり、過度応答が最小限に抑えられている。ある実施形態では、オンレゾナンス駆動コマンドのみが閉ループフィードバックによりオンにされ、さらなるオフレゾナンストーンが開ループ方式で生成されるので、位相結果を小さな周波数シフトから推測するのではなく直接観察することができるようになっている。
【００７９】
図７は、例示的な実施形態に従ってシステムの右側固有ベクトルの位相を求める方法を例示するフローチャートである。正常動作時、ステップ５００では、両方のドライバ１８０Ｌ、１８０Ｒを用いてフローチューブ１３０、１３０’を励振する。２つのドライバ１８０Ｌ、１８０Ｒが周期的に切り換えられ、第一のドライバおよび第二のドライバが互いに位相が異なるように振幅変調され、第一のドライバ１８０Ｌおよび第二のドライバ１８０Ｒに提供されるコマンドが合計でＮ＋１個の独立した信号を有している。ある実施形態では、オンレゾナンス駆動コマンドがピックオフ信号測定値の閉ループフィードバックとして提供され、第一のドライバ１８０Ｌおよび第二のドライバ１８０Ｒが同じ駆動コマンドを受け取るようになっている。ステップ７０２では、第二のドライバ１８０Ｒに提供される駆動コマンドとは位相が異なる複数の振幅変調開ループオフレゾナンス駆動コマンドが第一のドライバに１８０Ｌに提供される。この期間、第一のピックオフセンサー１７０Ｌと第二のピックオフセンサー１７０Ｒとの間の位相が測定される。これを位相差θ１と呼ぶ。
【００８０】
ステップ７０４では、２つのドライバ１８０Ｌ、１８０Ｒが互いに位相が異なるように振幅変調される中、ピックオフセンサー１７０Ｌとピックオフセンサー１７０Ｒとの間の位相が測定される。これを位相差θ２と呼ぶ。
【００８１】
図８は、ある例示的な実施形態に従って左側固有ベクトルの位相を求める方法を示すフローチャートである。正常動作時、ステップ８００では、両方のドライバ１８０Ｌ、１８０Ｒを用いてフローチューブを励振する。２つのドライバ１８０Ｌ、１８０Ｒが周期的に切り換えられ、第一のドライバおよび第二のドライバが互い異なる位相で振幅変調され、第一のドライバおよび第二のドライバに提供される駆動コマンドが合計でＮ＋１個の独立した信号を含んでいる。ある実施形態では、オンレゾナンス駆動コマンドがピックオフ信号測定値の閉ループフィードバックとして提供され、第一のドライバ１８０Ｌおよび第二のドライバ１８０Ｒが同じ駆動コマンドを受け取るようになっている。ステップ８０２では、第一のドライバ１８０Ｌが最大振幅でフローチューブを励振する時、モード応答と第一のドライバ１８０Ｌおよび第二のドライバ１８０Ｒにより用いられる駆動信号との間の有効位相が各オフレゾナンス周波数で推測される。この位相差推測値をθ３と呼ぶ。
【００８２】
ステップ８０４では、ドライバ１８０Ｌ、１８０Ｒが周期的に切り換えられる時、この時点で、第一のドライバおよび第二のドライバが互いに位相が異なるように振幅変調される。モード応答と第一のドライバ１８０Ｌおよび第二のドライバ１８０Ｒとの間の有効位相が推測される。この位相差をθ４と呼ぶ。
【００８３】
ステップ８０６では、システムの左側固有ベクトルθＬの位相が次のように計算される：
【００８４】
【数２０】
0006495537.tif 000021
【００８５】
時間ドメインへと変換すると、左側固有ベクトルの相対ΔｔであるΔｔＬが求められる：
【００８６】
【数２１】
0006495537.tif 000022
【００８７】
１つの例示的な実施形態では、較正と較正との間の時間間隔が一定になるように再較正を行う時間が決定されるようになっていてもよい。他の例示的な実施形態では、環境または配管システムに変化が検出された時に再較正が行われるようになっていてもよい。たとえば、温度の変化がしきい値より大きい時に再較正が行われるようになっていてもよい。再較正を何時行うかの判断が周期タイマーと環境変化の検出とを組み合わせたものに基づくものであってもよい。再較正と再較正との間の時間が高精度を必要としないシステムよりも高精度を必要とするシステムに対して短くなっていてもよい。左側固有ベクトルの位相を測定するためにドライバ１８０Ｌとドライバ１８０Ｒとを切り換えることは流量計の正常動作（すなわち、右側固有ベクトルのΔｔを用いて流量を測定することを）を中断させなければならないことを意味しない。さらに他の実施例では、流量計のゼロ点の変動のみが監視されるようになっている。したがって、ゼロ点検証ツールについての実施形態も考えられている。これは、たとえば特定の状況下以外ではゼロ点の変動が許されない管理輸送の如き複数の用途で役に立つ。左側固有ベクトルの位相および右側固有ベクトルの位相が定期的に測定され、測定結果が直接用いられ，２つの位相測定値の間の差からフローΔｔ信号（ｆｌｏｗ  Δｔ  ｓｉｇｎａｌ）が生成されるようになっていてもよい。
【００８８】
上述のように、従来のアプローチにおいて遭遇する問題は、２つのドライバのスイッチングに起因する位相効果をコントローラからの他の過度的効果から分離させることに関するものである。具体的にいえば、２つのドライバの急激なスイッチングにより、望ましくない過渡応答に対してシステムが反応してしまう恐れがある。駆動コントローラは、システムにおいてこれらの段階的変化を強化する傾向がある。このドライブ（ｄｒｉｖｅ）の急激な遷移を用いてドライブを定期的に繰り返して切り換える場合、遷移に対するシステムの過渡応答がまったく消滅しないため、駆動周波数の望ましい変移が不明瞭なものとなる。他の問題は、上述のように、周波数測定の感度についての問題である。２つのドライバの切り換えの際に生周波数信号（ｒａｗ  ｆｒｅｑｕｅｎｃｙ  ｓｉｇｎａｌ）を検査する場合、対称とする変動が雑音の影響で不明瞭になってしまうという問題がある。信号処理方法および電子機器についてはＭｉｃｒｏ  Ｍｏｔｉｏｎに付与されていることが表紙に記載されている米国特許第５，７３４，１１２号に説明されている。この特許はここで参照することにより援用されるものとする。
【００８９】
図９を参照すると、ある実施形態では、正常動作時、第一のドライバ１８０Ｌおよび第二のドライバ１８０Ｒの両方を用いてフローチューブ１３０、１３０’を周期的に励振するようになっている。このことについては、図９のステップ９００に説明されている。２つのドライバ１８０Ｌ、１８０Ｒが周期的に切り換えられ、第一のドライバおよび第二のドライバが互いに位相が異なるように振幅変調され、第一のドライバおよび第二のドライバに提供される駆動コマンドが合計でＮ＋１個の独立した信号を有している。ある実施形態では、オンレゾナンス駆動コマンドがピックオフ信号測定値の閉ループフィードバックとして提供され、第一のドライバ１８０Ｌおよび第二のドライバ１８０Ｒが同じ駆動コマンドを受け取るようになっている。さらに、第二のドライバ１８０Ｒに提供される駆動コマンドとは位相が異なる複数の振幅変調開ループオフレゾナンス駆動コマンドが第一のドライバに１８０Ｌに提供される。
【００９０】
２つのドライバ１８０Ｌ、１８０Ｒは、オフレゾナンスである複数の固定周波数のトーンを用いてフローチューブ１３０、１３０を励振することができる。ステップ９０２に記載のように、モード応答と２つのドライバ１８０Ｌ、１８０Ｒとの間の有効位相が各オフレゾナンス周波において推測されるようになっていてもよい。特筆すべきことは、オフレゾナンス周波数が共振周波数よりも高周波数、低周波数または高周波数と低周波数との組み合わせであってもよいという点にある。ステップ９０４にはドライバの連続した切り換えが示されている。すなわち、第一のドライバ１８０Ｌが最小振幅にある時に第二のドライバ１８０Ｒが最大振幅にある。先の場合と同様に、２つのドライバ１８０Ｌ、１８０Ｒが、オフレゾナンスにある複数の固定周波数のトーンを用いてフローチューブを励振し、１８０Ｌと１８０Ｒとの間の位相が各オフレゾナンス周波数において測定される。ドライバの切り換えの周波数が既知なので、その切り換え周波数の変動が容易に認識可能である。ステップ９０２およびステップ９０４に記載のように、一方のドライバから他方のドライバへ切り換えられる際に測定される位相変化量はその周波数における左側固有ベクトルの位相と等しい。ステップ９０６では、左側固有ベクトルの位相推定値が各オフレゾナンス周波数について生成される。これらの位相は異なっている。というのは、各トーンにおいて、駆動モードからの寄与および他の高周波数モードからの寄与の比率が異なっているからである。しかしながら、測定ポイント数が十分な場合、ステップ９０８で示されるような周波数の関数である位相変化モデルを作成することが可能となる。このようなモデルを用いると、ステップ９１０に記載のように、共振駆動周波数における周波数の差を正確に推定することが可能となる。
【００９１】
上述の実施形態では、両方のドライバ１８０Ｌ、１８０Ｒを用いて左側固有ベクトルの相対Δｔが求められるようになっている。さらに他の実施形態では、一度に１つのドライバのみを用いることができるようになっている。たとえば、第一のドライバ１８０Ｌを駆動し、ピックオフセンサー１７０Ｌにおける位相を測定し、次いで、第二のドライバ１８０Ｒを駆動し、同じピックオフ１７０Ｌにおける位相を測定することにより、各ドライバの固有の寄与を識別することができるようになる。低減衰流量計によりもたらされる固有の欠点は、第一のドライバの応答の消滅に最大５分またはそれ以上の時間を必要とすることであり、第二のドライバを駆動することができるようになるには第一のドライバの応答が消滅することが必要である。現実世界の多くの状況下では、このアプローチは時間遅延が長いために事実上役に立たつアプローチではない。というのは、環境条件が速い速度で変わってしまうため測定結果を用いることができなくなるからである。したがってある実施形態では、この時間遅延問題に対する一つの解決策が提供されている。
【００９２】
上述の実施形態の詳細な記載は、本発明の技術範囲内に含まれるものとして本発明者が考えているすべての実施形態を完全に網羅するものではない。さらに正確にいえば、当業者にとって明らかなように、上述の実施形態のうちの一部の構成部材をさまざまに組み合わせてまたは除去してさらなる実施形態を作成してもよいし、また、このようなさらなる実施形態も本発明の技術範囲内および教示範囲内に含まれる。また、当業者にとって明らかなように、本発明の技術および教示の範囲に含まれるさらなる実施形態を作成するために、上述の実施形態を全体的にまたは部分的に組み合わせてもよい。以上のように、本発明の特定の実施形態または実施形態が例示の目的で記載されているが、当業者にとって明らかなように、本発明の技術範囲内において、さまざまな変更が可能である。本明細書に記載の教示を上述のかつそれに対応する図に記載の実施形態のみでなく他の振動システムにも適用することができる。したがって、本発明の技術範囲は下記の請求項によって決められる。
【図１】
0006495537.tif 000023
【図２】
0006495537.tif 000024
【図３Ａ】
0006495537.tif 000025
【図３Ｂ】
0006495537.tif 000026
【図３Ｃ】
0006495537.tif 000027
【図４】
0006495537.tif 000028
【図５】
0006495537.tif 000029
【図６】
0006495537.tif 000030
【図７】
0006495537.tif 000031
【図８】
0006495537.tif 000032
【図９】
0006495537.tif 000033